(57)【要約】【課題】光源数増加の抑制を図りつつ、斬新な見栄えの車両用表示装置を提供する。【解決手段】少なくとも励起波長域の光を出射する光源と、光源から出射した励起波長域の光により励起されて蛍光発光する反射シートの蛍光面８０ａとを備える。また、蛍光面８０ａにて蛍光発光した可視光により照明される照明表示部としての背景部４３と、光源から出射した励起波長域の光により励起されて蛍光発光する蛍光表示部としての目盛り部４１、文字部４２および発光指針部５１とを備える。そして、蛍光表示部および照明表示部の表示内容を車両乗員に視認させるようにする。これにより、照明表示部に向けて可視光を出射する専用の光源を不要にしつつ、蛍光発光する蛍光表示部に加え、可視光により照明される照明表示部を備えるので、上記課題を解決できる。【選択図】        図１
2004347338.tif 000002
【特許請求の範囲】
【請求項１】
少なくとも励起波長域の光を出射する光源（７０）と、
前記光源（７０）から出射した励起波長域の光により励起されて蛍光発光する蛍光面（８０ａ）と、
前記蛍光面（８０ａ）にて蛍光発光した可視光により照明される照明表示部（４３ａ、４３、９０ａ）と、
前記光源（７０）から出射した励起波長域の光により励起されて蛍光発光する蛍光表示部（４１、４２、５１）とを備え、
前記蛍光表示部（４１、４２、５１）および前記照明表示部（４３ａ、４３、９０ａ）の表示内容を車両乗員に視認させるようになっていることを特徴とする車両用表示装置。
【請求項２】
指針（５０）と、
前記指針（５０）に指し示される目盛り部（４１）、および前記目盛り部（４１）の背景を構成する背景部（４３）を有する目盛り板（４０）とを備えることを特徴とする請求項１に記載の車両用表示装置。
【請求項３】
前記指針（５０）、前記目盛り部（４１）および前記背景部（４３）の少なくとも１つを前記蛍光表示部（４１、４２、５１）としたことを特徴とする請求項２に記載の車両用表示装置。
【請求項４】
前記指針（５０）、前記目盛り部（４１）および前記背景部（４３）のいずれかを前記蛍光表示部（４１、４２、５１）とし、他のいずれかを前記照明表示部（４３ａ、４３、９０ａ）としたことを特徴とする請求項２に記載の車両用表示装置。
【請求項５】
前記目盛り板（４０）の視認範囲を仕切る環状の見返し板（２０）を備え、
前記見返し板（２０）に前記蛍光面（８０ａ）を設けたことを特徴とする請求項２ないし４のいずれか１つに記載の車両用表示装置。
【請求項６】
前記蛍光面（８０ａ）は、前記視認範囲を囲う環状に形成されていることを特徴とする請求項５に記載の車両用表示装置。
【請求項７】
前記蛍光面（８０ａ）は前記目盛り板（４０）に隣接して配置されていることを特徴とする請求項５または６に記載の車両用表示装置。
【請求項８】
前記蛍光面（８０ａ）は、前記見返し板（２０）に貼り付けられたシート（８０）に設けられていることを特徴とする請求項５ないし７のいずれか１つに記載の車両用表示装置。
【請求項９】
前記蛍光面（８０ａ）は、前記光源（７０）から出射した励起波長域の光の一部を反射するようになっており、
前記蛍光表示部（４１、４２、５１）には、前記蛍光面（８０ａ）にて反射した励起波長域の光が入射するようになっていることを特徴とする請求項１ないし８のいずれか１つに記載の車両用表示装置。
【請求項１０】
前記照明表示部（４３ａ、４３、９０ａ）は直接照明されるようになっていることを特徴とする請求項１ないし９のいずれか１つに記載の車両用表示装置。
【請求項１１】
前記照明表示部（４３ａ、４３、９０ａ）に金属調の印刷を施したことを特徴とする請求項１０に記載の車両用表示装置。
【請求項１２】
前記光源（７０）から出射した励起波長域の光を内部に導く導光部材（９０）を備え、
前記導光部材（９０）には、前記導かれた光が入射する前記蛍光面（８０ａ）が設けられており、
また、前記導光部材（９０）には、前記蛍光面（８０ａ）にて反射された励起波長域の光を前記蛍光表示部（４１、４２、５１）に向けて出射する第１出射部（９０ｂ）と、前記蛍光面（８０ａ）にて蛍光発光した可視光を出射する第２出射部（９０ａ）とが設けられ、
前記第２出射部（９０ａ）を前記照明表示部（４３ａ、４３、９０ａ）とし、
前記照明表示部（４３ａ、４３、９０ａ）は透過照明されるようになっていることを特徴とする請求項２に記載の車両用表示装置。
【請求項１３】
前記導光部材（９０）を環状に形成することにより、前記照明表示部（４３ａ、４３、９０ａ）は、前記蛍光表示部（４１、４２、５１）を囲う環状に形成されていることを特徴とする請求項１２に記載の車両用表示装置。
【請求項１４】
前記光源（７０）を前記導光部材（９０）の外周面に対向して複数個配置したことを特徴とする請求項１３に記載の車両用表示装置。
【請求項１５】
前記第１出射部（９０ｂ）には、光を拡散して透過させる拡散透過面（９１）が形成されていることを特徴とする請求項１２ないし１４のいずれか１つに記載の車両用表示装置。
【請求項１６】
前記蛍光面（８０ａ）には、蛍光体が混入した白色顔料にて印刷が施されていることを特徴とする請求項１ないし１５のいずれか１つに記載の車両用表示装置。
【請求項１７】
前記蛍光面（８０ａ）には、白色顔料にて印刷された反射印刷層と、蛍光体を有する顔料にて印刷された蛍光印刷層とが積層されており、
前記反射印刷層および前記蛍光印刷層のいずれか一方を網点印刷としたことを特徴とする請求項１ないし１６のいずれか１つに記載の車両用表示装置。
【発明の詳細な説明】
【０００１】
【発明の属する技術分野】
本発明は、車両用表示装置に関するものである。
【０００２】
【従来の技術】
従来より、光源から出射した紫外線を蛍光表示部に照射して蛍光発光させるようにした車両用表示装置が知られている（例えば、特許文献１参照）。
【０００３】
【特許文献１】
特開２００１−２５３２９４号公報
【０００４】
【発明が解決しようとする課題】
しかし、上記蛍光表示部だけでは見栄えの斬新さに欠ける。また、蛍光表示部に加え、可視光により照明される照明表示部を備えることにより斬新な見栄えにしようとすると、照明表示部に向けて可視光を出射する光源を、紫外線を出射する光源とは別に備える必要が生じてしまう。
【０００５】
本発明は上記点に鑑みて、光源数増加の抑制を図りつつ、斬新な見栄えの車両用表示装置を提供することを目的とする。
【０００６】
【課題を解決するための手段】
上記目的を達成するため、請求項１に記載の発明では、少なくとも励起波長域の光を出射する光源（７０）と、光源（７０）から出射した励起波長域の光により励起されて蛍光発光する蛍光面（８０ａ）と、蛍光面（８０ａ）にて蛍光発光した可視光により照明される照明表示部（４３ａ、４３、９０ａ）と、光源（７０）から出射した励起波長域の光により励起されて蛍光発光する蛍光表示部（４１、４２、５１）とを備え、蛍光表示部（４１、４２、５１）および照明表示部（４３ａ、４３、９０ａ）の表示内容を車両乗員に視認させるようになっていることを特徴とする。
【０００７】
これにより、照明表示部（４３ａ、４３、９０ａ）に向けて可視光を出射する専用の光源を不要にしつつ、蛍光発光する蛍光表示部（４１、４２、５１）に加え、可視光により照明される照明表示部（４３ａ、４３、９０ａ）を備えるので、光源数増加の抑制を図りつつ斬新な見栄えの車両用表示装置を提供できる。
【０００８】
請求項２に記載のように、指針（５０）と、指針（５０）に指し示される目盛り部（４１）、および目盛り部（４１）の背景を構成する背景部（４３）を有する目盛り板（４０）とを備える場合には、請求項３に記載のように、指針（５０）、目盛り部（４１）および背景部（４３）の少なくとも１つを蛍光表示部（４１、４２、５１）としたり、請求項４に記載のように、指針（５１）、目盛り部（４１）および背景部（４３）のいずれかを蛍光表示部（４１、４２、５１）とし、他のいずれかを照明表示部（４３ａ、４３、９０ａ）としたりすれば、車両用表示装置をより一層斬新な見栄えにできる。
【０００９】
請求項５に記載の発明では、目盛り板（４０）の視認範囲を仕切る環状の見返し板（２０）を備え、見返し板（２０）に蛍光面（８０ａ）を設けたことを特徴とする。
【００１０】
これにより、蛍光面（８０ａ）にて蛍光発光した可視光が視認範囲の外から内に向かって照射されるので、当該照射により目盛り板（４０）の照明を斬新な見栄えにできる。
【００１１】
請求項６に記載の発明では、蛍光面（８０ａ）は、視認範囲を囲う環状に形成されていることを特徴とする。
【００１２】
これにより、目盛り板（４０）のうち視認範囲の部分は、蛍光面（８０ａ）にて蛍光発光した可視光により環状に照明されるので、車両用表示装置をより一層斬新な見栄えにできる。
【００１３】
請求項７に記載の発明では、蛍光面（８０ａ）は目盛り板（４０）に隣接して配置されていることを特徴とする。
【００１４】
これにより、目盛り板（４０）がグラデーション状に照明されるので、車両用表示装置をより一層斬新な見栄えにできる。
【００１５】
請求項８に記載の発明では、蛍光面（８０ａ）は、見返し板（２０）に貼り付けられたシート（８０）に設けられていることを特徴とするので、蛍光面（８０ａ）を容易に形成できる。
【００１６】
請求項９に記載の発明では、蛍光面（８０ａ）は、光源（７０）から出射した励起波長域の光の一部を反射するようになっており、蛍光表示部（４１、４２、５１）には、蛍光面（８０ａ）にて反射した励起波長域の光が入射するようになっていることを特徴とする。
【００１７】
請求項１０に記載の発明では、照明表示部（４３ａ、４３、９０ａ）は直接照明されるようになっていることを特徴としている。また、このような場合には、請求項１１に記載のように、照明表示部（４３ａ、４３、９０ａ）に金属調の印刷を施すようにすれば、車両用表示装置をより一層斬新な見栄えにでき、好適である。
【００１８】
請求項１２に記載の発明では、光源（７０）から出射した励起波長域の光を内部に導く導光部材（９０）を備え、導光部材（９０）には、導かれた光が入射する蛍光面（８０ａ）が設けられており、また、導光部材（９０）には、蛍光面（８０ａ）にて反射された励起波長域の光を蛍光表示部（４１、４２、５１）に向けて出射する第１出射部（９０ｂ）と、蛍光面（８０ａ）にて蛍光発光した可視光を出射する第２出射部（９０ａ）とが設けられ、第２出射部（９０ａ）を照明表示部（４３ａ、４３、９０ａ）とし、照明表示部（４３ａ、４３、９０ａ）は透過照明されるようになっていることを特徴とする。
【００１９】
これにより、導光部材（９０）の第２出射部（９０ａ）が透過照明されて照明表示部（４３ａ、４３、９０ａ）として車両乗員に視認されることとなるので、このような表示態様により、車両用表示装置をより一層斬新な見栄えにできる。
【００２０】
請求項１３に記載の発明では、導光部材（９０）を環状に形成することにより、照明表示部（４３ａ、４３、９０ａ）は、蛍光表示部（４１、４２、５１）を囲う環状に形成されていることを特徴とするので、車両用表示装置をより一層斬新な見栄えにできる。
【００２１】
請求項１４に記載の発明では、光源（７０）を導光部材（９０）の外周面に対向して複数個配置したことを特徴とするので、蛍光表示部（４１、４２、５１）および照明表示部（４３ａ、４３、９０ａ）の輝度を均一にすることができ、好適である。
【００２２】
請求項１５に記載の発明では、第１出射部（９０ｂ）には、光を拡散して透過させる拡散透過面（９１）が形成されていることを特徴とするので、蛍光表示部（４１、４２、５１）および照明表示部（４３ａ、４３、９０ａ）の輝度を均一にすることができ、好適である。
【００２３】
請求項１６に記載の発明では、蛍光面（８０ａ）には、蛍光体が混入した白色顔料にて印刷が施されていることを特徴とするので、蛍光面（８０ａ）を容易に形成でき、好適である。特に、蛍光発光する機能と励起波長域の光を反射する機能との両機能を蛍光面（８０ａ）に備えさせる請求項９に記載の発明に、上記請求項１６に記載の発明を適用すれば、蛍光面（８０ａ）を容易に形成でき、好適である。
【００２４】
なお、蛍光体の具体例としては周知の蛍光増白剤が挙げられる。蛍光増白剤は青色波長域の光を蛍光発光するものであり、青色波長域の光の減少によりもともと白色に見えていた物質が黄ばんで見えるようになった際に、当該蛍光増白剤を用いて青色波長域の光を補うことにより、白色に見えるようにすることを図る用途に一般的には用いられるものである。
【００２５】
請求項１７に記載の発明では、蛍光面（８０ａ）には、白色顔料にて印刷された反射印刷層と、蛍光増白剤を有する顔料にて印刷された蛍光印刷層とが積層されており、反射印刷層および蛍光印刷層のいずれか一方を網点印刷としたことを特徴とする。
【００２６】
これにより、上記請求項１６に記載の発明の効果を発揮できるとともに、光源（７０）から出射した励起波長域の光のうち、照明表示部（４３ａ、４３、９０ａ）の照明に用いられる光と蛍光表示部（４１、４２、５１）の励起に用いられる光との光量割合を、網点印刷の網点密度を調節することで容易に調節できる。
【００２７】
なお、上記各手段の括弧内の符号は、後述する実施形態に記載の具体的手段との対応関係を示す一例である。
【００２８】
【発明の実施の形態】
以下、本発明の各実施形態を図に基づいて説明する。
【００２９】
（第１実施形態）
本実施形態では、本発明の車両用表示装置を乗用車用計器に適用している。図１は当該計器の正面図、図２は図１の断面図であり、当該乗用車の車室内に設けたインストルメントパネル（図示しない）に、計器としてのスピードメータが取り付けられる。
【００３０】
上記スピードメータは、ケーシング１０、見返し板２０及びフロントパネル３０からなるハウジング内には、目盛り板４０、指針５０、回動内機６０および光源７０等が収納されている。なお、図１ではフロントパネル３０の一部のみを示している。
【００３１】
見返し板２０は、乗員の視線方向（図２の左右方向）に延びる板状部材を環状に形成してなり、その底壁２１にて、ケーシング１０の開口部１１に組み付けられている。そして、目盛り板４０の視認範囲を仕切って輪郭４０Ｒを形作るものである。本実施形態では図１に示すように輪郭４０Ｒが円形となるように構成されている。そして、フロントパネル３０は、見返し板２０の周壁２２の開口部２０ａに嵌着されている。
【００３２】
なお、ハウジング１０、２０、３０の材質は合成樹脂製である。見返し板２０には遮光性を有する合成樹脂が用いられ、フロントパネル３０には、外部からの光を遮断して内部からの光を透過させるスモーク調の合成樹脂が用いられている。
【００３３】
目盛り板４０は、指針５０に指し示される目盛り部４１と、文字部４２と、これら目盛り部４１および文字部４２の背景を構成する背景部４３とを有している。そして、ケーシング１０の開口部１１内にて、見返し板２０の底壁２１の開口部２１ａにその裏面側から装着されている。また、目盛り板４０は遮光性の合成樹脂にて形成されており、直接照明されるようになっている。当該照明に関しては後に詳述する。
【００３４】
指針５０は、目盛り板４０の表面に沿って回動して目盛り部４１を指し示す発光指針部５１と、当該発光指針部５１を支持するボス部５２とから構成されている。発光指針部５１およびボス部５２は合成樹脂製である。ボス部５２には、回動内機６０の回転軸６１が圧入されるようになっており、回動内機６０の駆動力が回転軸６１からボス部５２に伝達されて、指針５０が回動するようになっている。
【００３５】
光源７０は、近紫外線の光を出射するものであり、本実施形態では発光ダイオードが採用されている。光源７０の発光面７０ａが目盛り板４０に対向するように配置されている。また、光源７０は、見返し板２０のうち開口部２０ａ近傍部分に配置されており、これにより、光源７０から目盛り板４０までの距離を長くでき、目盛り板４０に対する照明輝度の均一化を図っている。
【００３６】
なお、図２中の符号７１は見返し板２０に組み付けられた回路基板を示しており、光源７０は回路基板７１に実装されている。
【００３７】
次に、本発明の要部である、目盛り板４０および指針５０の照明態様について説明する。
【００３８】
見返し板２０には反射シート８０が貼り付けられており、反射シート８０は、光源７０からの近紫外線光により励起されて蛍光発光する機能を備えている。具体的には、蛍光体が混入した白色顔料にてシート表面に印刷を施して、反射シート８０を形成している。
【００３９】
反射シート８０のうち上記印刷が施された面は、上記特許請求の範囲に記載の蛍光面８０ａに相当する。蛍光面８０ａには、光源７０から出射した近紫外線光が矢印Ａに示すように入射するようになっており、当該蛍光面８０ａは、前記入射した近紫外線光により励起されて、可視光を蛍光発光する。
【００４０】
上記蛍光体の具体例としては、周知の蛍光増白体が挙げられ、本実施形態では、青色の光を蛍光発光する蛍光体が採用されている。なお、反射シート８０は前記蛍光発光の機能を少なくとも備えていればよいが、本実施形態では白色顔料にて印刷が施してあるため、光源７０から出射した近紫外線光の一部を反射する機能をも備えている。
【００４１】
また、反射シート８０は、見返し板２０の周壁２２内面のうち、目盛り板４０に隣接する部分に、環状に設けられている。従って、蛍光面８０ａは、目盛り板４０の視認範囲を囲う環状に形成されることとなる。そして、蛍光面８０ａから蛍光発光した青色光により、目盛り板４０の背景部４３のうち輪郭４０Ｒ近傍のリング状部分４３ａが直接照明される。なお、図１の斜線４３ａに示す部分が上述した青色光により直接照明される部分であり、上記特許請求の範囲に記載の照明表示部４３ａに相当する。
【００４２】
蛍光面８０ａは目盛り板４０に隣接して配置されており、目盛り板４０の側方から青色光が照射されることとなるので、目盛り板４０のリング状部分４３ａは、見返し板２０から遠離るほど青色が薄くなるグラデーション状に照明されることとなる。また、目盛り板４０の背景部４３には金属調の印刷が施されているので、リング状部分４３ａは青みを帯びた金属調に視認される。
【００４３】
目盛り板４０の目盛り部４１および文字部４２には、近紫外線光（励起波長域の光）により励起されて蛍光発光する蛍光体が塗布されている。なお、図２では文字部４２の図示を省略している。そして、目盛り板４０には、光源７０から出射した近紫外線光が表面側から照射するようになっており、このように照射された近紫外線光により、蛍光体は励起されて蛍光発光する。これにより、目盛り部４１および文字部４２は蛍光発光する。
【００４４】
発光指針部５１の表面には、近紫外線光（励起波長域の光）により励起されて蛍光発光する蛍光体５１ａが塗布されている。そして、発光指針部５１には、光源７０から出射した近紫外線光が表面側から照射するようになっており、このように照射された近紫外線光により、蛍光体５１ａは励起されて蛍光発光する。これにより、発光指針部５１は発光する。
【００４５】
なお、目盛り部４１、文字部４２および発光指針部５１が、上記特許請求の範囲に記載の蛍光表示部に相当する。
【００４６】
以上により、本実施形態によれば、光源７０とは別の可視光専用の光源を不要にしつつ、可視光にて直接照明される照明表示部４３ａと、蛍光発光する蛍光表示部４１、４２、５１とが組み合わさった表示態様となる。図１の斜線を付した部分は上記直接照明の部分を示し、網点を付した部分は上記蛍光発光する部分を示している。これにより、光源数増加の抑制を図りつつ斬新な見栄えの車両用表示装置を提供できる。
【００４７】
しかも、照明表示部としてのリング状部分４３ａは、青みを帯びた金属調、グラデーション状、かつリング状に視認されるので、より一層斬新な見栄えにできる。
【００４８】
（第２実施形態）
上記第１実施形態では、発光面７０ａが目盛り板４０に対向するように光源７０が配置されているが、図３に示す本実施形態では、発光面７０ａが運転者側に向くように光源７０が配置されている。そして、発光面７０ａに対向するように反射シート８０が配置することにより、光源７０から出射した近紫外線光の一部は矢印Ｂに示すように反射シート８０で反射して、目盛り板４０および指針５０に向けて表面側から照射されることとなる。
【００４９】
このように反射シート８０にて反射して照射される近紫外線光により、蛍光表示部４１、４２、５１としての目盛り部４１、文字部４２および発光指針部５１は、蛍光発光する。
【００５０】
また、反射シート８０に入射した近紫外線光の一部により、反射シート８０の蛍光面８０ａが蛍光発光する。蛍光発光した可視光は、目盛り板４０に向けて表面側から照射されることとなる。そして、前記蛍光発光による可視光により、目盛り板４０の背景部４３は表面側から直接照明されることとなる。背景部４３は、上記特許請求の範囲に記載の照明表示部に相当する。なお、その他の構造は上記第１実施形態と同様の構造である。
【００５１】
以上により、本実施形態によれば、光源７０とは別の可視光専用の光源を不要にしつつ、可視光にて直接照明される照明表示部４３と、蛍光発光する蛍光表示部４１、４２、５１とが組み合わさった表示態様となるので、光源数増加の抑制を図りつつ斬新な見栄えの車両用表示装置を提供できる。
【００５２】
しかも、照明表示部としての背景部４３は、青みを帯びた金属調、グラデーション状、かつリング状に視認されるので、より一層斬新な見栄えにできる。
【００５３】
（第３実施形態）
図４に示す本実施形態では、目盛り板４０および指針５０の表面側には、環状の導光板（導光部材）９０が配置されている。具体的には、導光板９０は見返し板２０の周壁２２内面に支持されており、光源７０は、発光面７０ａが目盛り板４０に対して略垂直となるように配置されている。また、光源７０は、導光板９０の外周面に対向して複数個配置されている。
【００５４】
図５は、導光板９０および光源７０を示す拡大図であり、図５を用いて導光板９０の構造を説明すると、導光板９０の表面側には、反射シート８０が貼り付けられており、裏面側には拡散シート９１が貼り付けられている。拡散シート９１は光を拡散して透過させるものであり、上記特許請求の範囲に記載の拡散透過面に相当する。
【００５５】
また、導光板９０の内周面には、導光板９０内部の光の一部を目盛り板４０側に反射するとともに、導光板９０内部の光の一部を視認者側に出射する反射面９０ａが形成されている。当該反射面９０ａは上記特許請求の範囲に記載の第２出射部に相当し、照明表示部を構成する。
【００５６】
そして、導光板９０内部に導かれた近紫外線光の一部は、矢印Ｃに示すように反射シート８０にて反射した後、反射面９０ａにて反射し、拡散シート９１を透過して拡散した後、目盛り板４０および指針５０に向けて照射される。このように照射された近紫外線光により、蛍光表示部４１、４２、５１としての目盛り部４１、文字部４２および発光指針部５１は、蛍光発光する。
【００５７】
一方、導光板９０内部に導かれた近紫外線光の一部が、矢印Ｄに示すように反射シート８０に入射すると、励起されて蛍光発光する。そして、蛍光発光した可視光は、第２出射部としての反射面９０ａから視認者に向けて出射する。これにより、リング状に形成された反射面９０ａが蛍光発光した可視光によって透過照明されることとなり、図６に示すように、反射面９０ａが照明表示部として視認されることとなる。なお、その他の構造は上記第１実施形態と同様の構造である。
【００５８】
以上により、本実施形態によれば、光源７０とは別の可視光専用の光源を不要にしつつ、可視光にて直接照明される照明表示部９０ａと、蛍光発光する蛍光表示部４１、４２、５１とが組み合わさった表示態様となるので、光源数増加の抑制を図りつつ斬新な見栄えの車両用表示装置を提供できる。
【００５９】
しかも、照明表示部としての反射面９０ａはリング状に視認されるので、より一層斬新な見栄えにできる。
【００６０】
（他の実施形態）
上記第１および第２実施形態では、目盛り板４０を直接照明しているが、本発明の実施にあたり、目盛り板４０を透過照明するようにしてもよい。この場合には、目盛り板４０の裏面側に光源を配置し、目盛り部４１および文字部４２を透過照明させ、蛍光面８０ａにて蛍光発光した可視光により背景部４３を直接照明させるようにして好適である。
【００６１】
また、本実施形態の光源７０は、励起波長域の光として近紫外線の光を出射しているので、紫外線の光を出射する光源に比べて人体への影響を少なくできる。なお、本発明の実施にあたり、フロントパネル３０の材質に近紫外線光を吸収できる材質のものを採用すれば、人体への影響をより一層少なくでき、好適である。
【００６２】
上記第１ないし第３実施形態では、蛍光面８０ａには、蛍光体が混入した白色顔料にて印刷が施されており、これにより、前述の励起波長域の光を反射する機能および蛍光発光の機能を備えるようにしているが、本発明の実施にあたり、蛍光面８０ａには、白色顔料にて印刷された反射印刷層と、蛍光体を有する顔料にて印刷された蛍光印刷層とが積層されており、反射印刷層および蛍光印刷層のいずれか一方を網点印刷としてもよい。
【００６３】
このように両印刷層を施す場合には、上記両機能を備えさせることができることに加え、光源７０から出射した励起波長域の光のうち、照明表示部４３ａ、４３、９０ａの照明に用いられる光と蛍光表示部４１、４２、５１の励起に用いられる光との光量割合を、網点印刷の網点密度を調節することで容易に調節できる。
【図面の簡単な説明】
【図１】本発明の第１実施形態に係る車両用表示装置としてのスピードメータの正面図である。
【図２】図１の断面図である。
【図３】本発明の第２実施形態に係るスピードメータの断面図である。
【図４】本発明の第３実施形態に係るスピードメータの断面図である。
【図５】図４に示す導光板９０および光源７０の拡大図である。
【図６】第３実施形態に係るスピードメータの正面図である。
【符号の説明】
４１…目盛り部（蛍光表示部）、４２…文字部（蛍光表示部）、４３…背景部（照明表示部）、４３ａ…リング状部分（照明表示部）、５１…発光指針部（蛍光表示部）、７０…光源、８０ａ…反射シートの蛍光面、９０ａ…導光板の反射面（照明表示部）。
【図１】
2004347338.tif 000003
【図２】
2004347338.tif 000004
【図３】
2004347338.tif 000005
【図４】
2004347338.tif 000006
【図５】
2004347338.tif 000007
【図６】
2004347338.tif 000008